(57)【特許請求の範囲】
【請求項１】
支持脚と、
前記支持脚に、少なくとも一部が上下動可能として支持された座と、
前記支持脚と座との間に設けられ、前記支持脚に対して前記座を上方に向かって付勢する付勢手段と、
前記支持脚と座とのいずれか一方に設けられ、前記座の上下動可能部分の下降により発電させられるようにした発電装置と、
前記発電装置に電気的に接続され、前記発電装置により発電された電力を利用して、着席信号を送信する信号送信手段
とを備えることを特徴とする椅子。
【請求項２】
発電装置が、座の上下動可能部分の上昇によっても発電させられるようにしたものとし、このときに発電された電力を利用して、信号送信手段から、着席信号とは異なる離席信号を送信するようにした請求項１記載の椅子。
【請求項３】
発電装置が、上下動可能とした作動杆と、この作動杆の上下動により発電する電磁誘導装置とを備えている請求項１または２記載の椅子。
【請求項４】
支持脚の一部に、押圧レバーの一端部を上下方向に回動可能として枢着し、座の下面に設けた突子をもって、前記押圧レバーを下向回動させることにより、前記押圧レバーにおける枢着部から離れた部分により、作動杆を押し下げるようにした請求項３記載の椅子。
【請求項５】
発電装置と押圧レバーとの間に、押圧レバーを上向き回動するように付勢する付勢手段を設けた請求項４記載の椅子。
【請求項６】
支持脚が、１または複数の脚によって支持されたほぼ水平の支持板を有しており、前記支持板の上面に設けた凹部に、発電装置および信号送信手段を収容した請求項１〜５のいずれかに記載の椅子。
【請求項７】
凹部内面と発電装置との間に防音手段を設けた請求項６記載の椅子。
【発明の詳細な説明】
【技術分野】
【０００１】
本発明は、着席状態を確認しうる椅子に関する。
【背景技術】
【０００２】
着席状態を確認しうる従来の椅子としては、例えば、自動車のシートに、乗員あるいは物の存在を判断したり、乗員の体格を判断したりするシートセンサを設けたものや(例えば特許文献１参照)、マッサージ機能を有する椅子に、着座者の座荷重支持面への荷重のバランスを検出する座荷重センサを設けたもの(例えば特許文献２参照)、椅子に、使用者の着座状態もしくは離席状態を検知する着座センサを設けたもの(例えば特許文献３参照)等がある。
【先行技術文献】
【特許文献】
【０００３】
【特許文献１】特許第４２３４２４７号公報
【特許文献２】特許第４６８６０８４号公報
【特許文献３】特開２０１０−２３３６１５号公報
【発明の概要】
【発明が解決しようとする課題】
【０００４】
特許文献１に記載されているものにおいては、シートセンサは、自動車のバッテリに有線接続され、そのバッテリから給電されるようになっているため、図書館の椅子等のように、移動する椅子に適用することは困難である。
【０００５】
特許文献２および３に記載されているものにおいては、椅子自体に、センサ等に給電するためのバッテリを設けてあるので、椅子の外部に設けた電源に有線接続する必要はなく、移動する椅子にも適用することはできるが、椅子にバッテリを収容するための空間を形成しなければならず、また、制御システムが大型化するため、コストが増大したり、椅子の美観を損ねたりするおそれがある。
しかも、椅子の着席、離席を検出するためには、それらのセンサに常時給電しておかなければならないため、バッテリの充電や交換作業を頻繁に行わなければならず、その作業が面倒である。
【０００６】
本発明は、従来の技術が有する上記のような問題点に鑑みてなされたもので、バッテリを椅子に設けたり、椅子の外部の電源に有線接続したりする必要がなく、しかも、バッテリの充電や交換作業が全く必要なく、省エネルギー化を図ることができ、さらに、小型化が可能で、椅子の美観を損なうことがないようにした着席状態を確認しうる椅子を提供することを目的としている。
【課題を解決するための手段】
【０００７】
本発明によると、上記課題は、次のようにして解決される。
（１）椅子において、支持脚と、前記支持脚に、少なくとも一部が上下動可能として支持された座と、前記支持脚と座との間に設けられ、前記支持脚に対して前記座を上方に向かって付勢する付勢手段と、前記支持脚と座とのいずれか一方に設けられ、前記座の上下動可能部分の下降により発電させられるようにした発電装置と、前記発電装置に電気的に接続され、前記発電装置により発電された電力を利用して、着席信号を送信する信号送信手段とを備えるものとする。
【０００８】
このような構成によると、着座時に、座の上下動可能部分が、付勢手段の付勢力に抗して下降させられると、そのときの座の下降によって発電装置が発電させられ、そのときに発電された電力を利用して、信号送信手段から着席信号が送信させられる。
この着席信号を、受信手段(本発明の構成要件外)により受信することによって、この椅子が着席状態であることを確認することができる。
このように、バッテリや外部電源を一切使用することなく、着座時の着座者の体重を利用して発電し、その電力によって着席信号を送信することができるので、省エネルギー化を図ることができるとともに、バッテリの充電や交換作業が全く必要なく、しかも、小型化が可能で、椅子の美観を損なうことがない。
【０００９】
（２）上記(１)項において、発電装置が、座の上下動可能部分の上昇によっても発電させられるようにしたものとし、このときに発電された電力を利用して、信号送信手段から、着席信号とは異なる離席信号を送信するようにする。
【００１０】
このような構成によると、着座者が離席したときに、座の上下動可能部分が付勢手段の付勢力によって持ち上げられ、このときの座の上昇によっても、発電装置が発電させられ、そのときに発電された電力を利用して、信号送信手段から着席信号とは異なる離席信号が送信させられる。
この離席信号を、受信手段(本発明の構成要件外)により受信することによって、この椅子が、着席状態であることだけでなく、離席状態であることをも確実に確認することができる。
【００１１】
（３）上記(１)または(２)項において、発電装置が、上下動可能とした作動杆と、この作動杆の上下動により発電する電磁誘導装置とを備えるものとする。
【００１２】
このような構成によると、発電装置の構造を簡素化および小型化することができ、椅子の美観の維持に寄与することができる。
【００１３】
（４）上記(３)項において、支持脚の一部に、押圧レバーの一端部を上下方向に回動可能として枢着し、座の下面に設けた突子をもって、前記押圧レバーを下向回動させることにより、前記押圧レバーにおける枢着部から離れた部分により、作動杆を押し下げるようにする。
【００１４】
このような構成によると、作動杆を座によって直接押圧するのではなく、支持脚の一部に枢着した押圧レバーによって押圧するので、作動杆に対する力の掛かり具合が常に一定し、作動杆を安定して、確実に作動させることができる。
したがって、作動杆を座によって直接押圧する場合のように、着座者の座り方等によって、作動杆の押圧点や押圧方向が変動し、場合によっては作動杆が作動しなくなる等のおそれはない。
【００１５】
（５）上記(４)項において、発電装置と押圧レバーとの間に、押圧レバーを上向き回動するように付勢する付勢手段を設ける。
【００１６】
このような構成によると、非着座時に、発電装置と押圧レバーとの間隔が一定に保たれるので、作動杆が、着座者のいない状態において、押圧レバーにより誤って押圧されることがなくなる。
【００１７】
（６）上記(１)〜(５)項のいずれかにおいて、支持脚が、１または複数の脚によって支持されたほぼ水平の支持板を有しており、前記支持板の上面に設けた凹部に、発電装置および信号送信手段を収容する。
【００１８】
このような構成によると、発電装置および信号送信手段が外部に露呈することはなく、美麗な外観を維持することができる。
【００１９】
（７）上記(６)項において、凹部内面と発電装置との間に防音手段を設ける。
【００２０】
このような構成によると、発電装置が発電する際の作動音が外部に漏れるのを極力抑えることができる。
【発明の効果】
【００２１】
本発明によると、バッテリを椅子に設けたり、椅子の外部の電源に有線接続したりする必要がなく、しかも、バッテリの充電や交換作業が全く必要なく、省エネルギー化を図ることができ、さらに、小型化が可能で、椅子の美観を損なうことがないようにした着席状態を確認しうる椅子を提供することができる。
【図面の簡単な説明】
【００２２】
【図１】本発明の椅子の第１の実施形態の正面図である。
【図２】同じく、平面図である。
【図３】図２のIII−III線における縦断側面図である。
【図４】図２のIV−IV線における縦断側面図である。
【図５】図２のV−V線における拡大縦断正面図である。
【図６】着座時における、図５と同様の縦断正面図である。
【図７】発電スイッチの内部構成を示す図である。
【図８】本発明の椅子の第２の実施形態における、非着座時の発電スイッチ装着部の中央縦断側面図である。
【図９】同じく、着座時における、図８と同様の部分の中央縦断側面図である。平面図である。
【図１０】図９のX−X線における縦断正面図である。
【発明を実施するための形態】
【００２３】
以下、本発明の椅子の実施形態を、図面を参照して説明する。
図１〜図７は、本発明の椅子の第１の実施形態を示す。
この椅子は、支持脚１と、この支持脚１に、少なくとも一部が上下動可能として支持された座２と、支持脚１に設けられ、座２を上方に向かって付勢する付勢手段３と、支持脚１に設けられ、座２の上下動可能部分の下降により発電させられるようにした発電装置４と、支持脚１に設けられ、発電装置４に電気的に接続され、発電装置４により発電された電力を利用して、着席信号を送信する信号送信手段５(図７参照)とを備えている。
【００２４】
支持脚１は、左右方向を向く前部横杆６の両端に連設した前下方を向く左右１対の前脚杆７、７と、左右方向を向く後部横杆８の両端に連設した後下方を向く左右１対の後脚杆９、９と、前部横杆６と後部横杆８とを連結する前後方向を向く角管状の左右１対の側枠杆１０、１０と、前部横杆６、後部横杆８および両側枠杆１０、１０の上面に固定ねじ(図示略)等をもって固着された水平またはわずかに後下向き傾斜する平面視方形の支持板１１とを備えている。
【００２５】
支持板１１の後端には、わずかに後傾して起立する背板１２が連設されている。
座２は、平面視方形の座板１３と、その上面に設けられたクッション材１４とからなり、図２〜図４に示すように、支持板１１の複数個所(図示の例では、前後３個ずつ)に設けた貫通孔１５に、下端に拡径頭部１６ａを有する段付きピン１６における軸部１６ｂを上向きに挿通させて、軸部１６ｂの上端に連設したねじ部１６ｃを、座板１３の下面にねじ込んで固着することにより、座２は、支持板１１に対して上方に、軸部１６ｂの長さから支持板１１の厚さを差し引いた長さ分だけ、上下動可能となっている。
【００２６】
段付きピン１６における軸部１６ｂには、スリーブ１６ｄを外嵌しておくのが好ましい。
【００２７】
座板１３は、付勢手段３の上向きの付勢力により付勢され、常時は、図３に示すように、各段付きピン１６の拡径頭部１６ａが支持板１１の下面に当接した上限位置に位置しているが、着座者が着座すると、付勢手段３の付勢力に抗して、図６に示すような下限位置まで下降するようになっている。
【００２８】
支持板１１の上面における周縁部と、座板１３の下面における周縁部との間には、防音作用を有するポリウレタン等よりなる帯状の緩衝材１７が介在させられており、この緩衝材１７が最大に圧縮させられた状態が、座板１３の下限位置となる。
【００２９】
支持板１１におけるやや前端寄りのほぼ中央部には、上端両側部に拡幅段部１８ａを有する平面視方形の嵌合孔１８が設けられており、この嵌合孔１８には、上面が開口する収容ボックス１９が上方より嵌合され、収容ボックス１９の上端両側部に設けた外向きフランジ１９ａ、１９ａを、拡幅段部１８ａに嵌合して固着することにより、収容ボックス１９は支持板１１に強固に取り付けられている。
【００３０】
収容ボックス１９は、支持板１１に設けられた凹部をなし、その内部に、発電装置４と信号送信手段５とを一体化した発電スイッチ２０が設けられている。
すなわち、この実施形態においては、発電装置４のケーシング２１内に、信号送信手段５を組み込んで、発電スイッチ２０としてある。
【００３１】
発電スイッチ２０は、図７に示すように、直方体状のケーシング２１の上面中央に出没自在に設けた作動杆２２を、ケーシング２１内に設けた復帰用のばね(図示略)の付勢力に抗して下降させると、ケーシング２１内に設けた電磁誘導装置２３(図７参照)が発電し、そのときに発電された電力を利用して、信号送信手段５から、着席信号が電波として送信され、また、作動杆２２にかかる外力を取り除いて、作動杆２２が復帰用のばねの付勢力により上昇させられると、ケーシング２１内に設けた電磁誘導装置２３が発電し、そのときに発電された電力を利用して、信号送信手段５から、着席信号とは異なる離席信号が電波として送信されるようになっている。
【００３２】
着席信号および離席信号には、その椅子を特定するための固有の情報、例えば、劇場等においては、通し番号、または何列目の何番目の椅子であるか等の情報を含めておくのが好ましい。
【００３３】
収容ボックス１９の上端開口部に対応する座板１３の下面には、収容ボックス１９の上端開口部とほぼ補形をなして、収容ボックス１９内に上方より嵌合し、下端で発電スイッチ２０の作動杆２２を押し下げるようにした平面視方形のプッシャー２５が、その上端より左右両側方に突出する取付片２５ａ、２５ａを座板１３の下面にねじ止めすることにより固着されている。なお、着座してから離席するまでの状態においては、作動杆２２は下降したままの状態で、発電は行われない。したがって、着席信号は送信されていない状態である。
【００３４】
図５に示すように、座板１３が上限位置に位置しているときは、プッシャー２５の下端は、ケーシング２１より最も突出した上限位置に位置している作動杆２２の上端に近接するか、または当接しており、この状態から着座者が座２に着座し、座板１３が下限位置まで下降すると、作動杆２２は押し下げられて、上述したように、電磁誘導装置２３が発電させられ、そのときに発電された電力を利用して、信号送信手段５から、着席信号が送信される。
【００３５】
図２および図４に示すように、支持板１１における嵌合孔１８より前方の部分には、ばね挿通孔２６が設けられており、このばね挿通孔２６を挿通するようにして、上下方向を向く圧縮コイルばね２７が、収容ボックス１９の底面に固着されて、そこから前方に突出するようにしたばね受片２８と、座板１３の下面との間に縮設されている。
【００３６】
図２および図４に示すように、角管状をなす左右の側枠杆１０、１０における前部の上片１０ａと、その直上の支持板１１とには、互いに上下方向に整合するばね挿通孔２９、３０が設けられている。これらのばね挿通孔２９、３０を挿通するようにして、上下方向を向く圧縮コイルばね３１が、各側枠杆１０における前部の下片１０ｂと、座板１３の下面との間に縮設されている。
【００３７】
上記中央の圧縮コイルばね２７と、左右の圧縮コイルばね３１、３１と、発電スイッチ２０に内蔵された復帰用のばねとにより、座２を上方に向かって付勢する付勢手段３が形成されている。
【００３８】
収容ボックス１９の内面と発電スイッチ２０との間、収容ボックス１９の外向きフランジ１９ａと支持板１１における拡幅段部１８ａとの間、プッシャー２５の下面等には、防音材３２、３３、３４等が設けられており、それらと、支持板１１と座板１３との間に設けた緩衝材１７等により、発電スイッチ２０における作動音が、外部に漏れるのを防止しうるようになっている。
【００３９】
本発明の第１の実施形態の椅子は、上記のような構成としてあるので、着座時に、座２が、付勢手段３の付勢力に抗して下降させられると、そのときの座２の下降によって発電装置４が発電させられ、そのときに発電された電力を利用して、信号送信手段５から着席信号が送信させられる。
この着席信号を、図示を省略した受信手段により受信することによって、この椅子が着席状態であることを確認することができる。
このような複数の椅子を、例えば、劇場、教室、図書館等において適宜の配置で配設し、複数の椅子の信号送信手段５から送信される信号を、１個または複数の受信手段により受信し、その受信した信号に基づいて、管理手段(図示略)により、どの椅子が着席状態か、離席状態かを判別することができ、またその情報を、モニタ等の表示手段に表示させて、管理者が各椅子の着席、離席状態を一目で分かるようにすることができる。
【００４０】
このように、バッテリや外部電源を一切使用することなく、着座時の着座者の体重を利用して発電し、その電力によって着席信号を送信することができるので、省エネルギー化を図ることができるとともに、バッテリの充電や交換作業が全く必要なく、しかも、小型化が可能で、椅子の美観を損なうことがない。
【００４１】
また、発電装置４が、座２の上下動可能部分の上昇によっても発電させられ、このときに発電された電力を利用して、信号送信手段５から、着席信号とは異なる離席信号を送信するので、この離席信号を、受信手段により受信することによって、この椅子が、着席状態であることだけでなく、離席状態であることをも確実に確認することができる。
【００４２】
さらに、発電装置４が、上下動可能とした作動杆２２と、この作動杆２２の上下動により発電する電磁誘導装置２３とを備えるものとしてあるので、発電装置４の構造を簡素化および小型化することができ、椅子の美観の維持に寄与することができる。
【００４３】
支持脚１が、１または複数の脚によって支持されたほぼ水平の支持板１１を有しており、この支持板１１の上面に設けた凹部、すなわち収容ボックス１９に、発電装置４および信号送信手段５を収容してあるので、発電装置４および信号送信手段５が外部に露呈することはなく、美麗な外観を維持することができる。
【００４４】
収容ボックス１９の内面と発電装置４との間に防音手段を設けてあるので、発電装置４が発電する際の作動音が外部に漏れるのを極力抑えることができる。
【００４５】
図８〜図１０は、本発明の椅子の第２の実施形態を示す。なお、第１の実施形態におけるのと同一または類似の部材には、同一の符号を付して図示するに止め、それらについての詳細な説明は省略する。
この椅子においては、支持板１１に設けた嵌合孔１８に、正面視上向きコ字状をなすブラケット４０を上方より嵌合し、その上端両側部に設けた外向きフランジ４０ａ、４０ａを、拡幅段部１８ａに嵌合して、皿ねじ(図示略)等をもって固着し、かつ側面視上向きコ字状をなす前後方向を向く受板５１の上端前後部に設けた外向きフランジ４１ａ、４１ａを、支持板１１の下面に当接させて、皿ねじ(図示略)等をもって固着することにより、受板４１における底片４１ｂの前部に設けた凹入段部４１ｃをもって、ブラケット４０における底片４０ｂを受止し、このブラケット４０と受板４１とにより、第１の実施形態における収容ボックス１９に相当する収容部４２が形成されている。
【００４６】
凹入段部４１ｃの深さを、ブラケット４０における底片４０ｂの板厚に一致させることにより、底片４０ｂの上面と受板４１における凹入段部４１ｃ以外の底片４１ｂの上面とが等高となるようにしてある。
【００４７】
収容部４２内には、上面が開口する前後方向に長い箱体４３が収容されている。箱体４３の後面を、受板４１における底片４１ｂの後端より起立する後片４１ｄに当接し、かつ箱体４３の前面と受板４１における底片４１ｂの前端より起立する前片４１ｅとの間に、正面視下向コ字状をなすばね受台４４を嵌合して、ばね受台４４を、ブラケット４０における側片４０ｃに、固定ねじ４５をもって固定することにより、箱体４３は収容部４２内に固定されている。
【００４８】
ばね受台４４の上面と、座板１３の下面との間には、第１の実施形態におけるのと同様の圧縮コイルばね２７が縮設されている。
【００４９】
箱体４３内には、発電装置４と信号送信手段５とを一体化した発電スイッチ２０、並びにそれに関連する電気部品(図示略)が設けられている。
【００５０】
箱体４３の前上部には、板状の押圧レバー４６の左右両側より垂下する垂下片４６ａ、４６ａの前部が、左右方向を向く軸４７をもって枢着されており、押圧レバー４６の後部が上下方向に回動しうるようになっている。
箱体４３における両側板４３ａの前上部には、軸４７の外径より大径の軸孔４８が設けられ、この軸孔４８に軸４７が遊嵌されている。
【００５１】
押圧レバー４６の後部の下方には、箱体４３内に収容された発電スイッチ２０における作動杆２２が位置し、発電スイッチ２０におけるケーシング２１の上面と、押圧レバー４６の後部の下面との間には、押圧レバー４６の後部を上向き回動するように付勢する付勢手段をなす圧縮コイルばね４９が、作動杆２２を囲むようにして縮設されている。ケーシング２１の上面における作動杆２２の外周部には、圧縮コイルばね４９の下端部を収容する環状のばね受け突部２１ａを設けるのがよい。
【００５２】
座板１３の下面に設けたプッシャー２５のほぼ中央部の下面には、下方を向く突子５０が設けられている。この突子５０は、この例では、プッシャー２５の下面に設けたねじ孔５１に螺合させた小ねじ５０ａの半球状またはなべ頭状の頭部５０ｂにより形成してある。
突子５０は、押圧レバー４６における軸４７より後方、好ましくは、作動杆２２が当接する部分と軸４７との間における軸４７寄りの部分の上面に当接するような位置に設けられている。
【００５３】
第２の実施形態においては、着座者が着座して、座２が下降すると、突子５０が押圧レバー４６の上面における軸４７寄りの部分を下方に向けて押圧し、それによって、押圧レバー４６は、圧縮コイルばね４９の付勢力に抗して、後部が下向きに回動させられ、後部が作動杆２２に当接した後は、作動杆２２が押し下げられる。
【００５４】
このときの押圧レバー４６の後部による作動杆２２の押下げ幅は、突子５０により押圧レバー４６における軸４７寄りの部分が押し下げられる幅より、それらの軸までの距離の比に基づいて大となるので、座２のわずかの下降により、作動杆２２を大きく下降させることができる。すなわち、座２の下降ストロークが小さくても、作動杆２２の下降ストロークを大とすることができるとともに、作動杆２２の下降速度を、座２の下降速度より大とすることができ、もって、発電装置４の発電量を大とすることができる。
【００５５】
また、作動杆２２を座２によって直接押圧するのではなく、実質的に支持脚１の一部に枢着した押圧レバー４６によって押圧するので、作動杆２２に対する力の掛かり具合が常に一定し、作動杆２２を安定して、確実に作動させることができる。
したがって、作動杆２２を座２によって直接押圧する場合のように、着座者の座り方等によって、作動杆２２の押圧点や押圧方向が変動し、場合によっては作動杆２２が作動しなくなる等のおそれはない。
【００５６】
さらに、軸孔４８を軸４７の外径より大径としてあるので、押圧レバー４６が、図８に示すように、圧縮コイルばね４９の付勢力により上向きに回動させられているときは、軸４７は軸孔４８の上縁に当接し、かつ押圧レバー４６の前縁が箱体４３の上縁に当接し、恰も、押圧レバー４６の回動中心が、箱体４３の前部上縁にあるかのように動作することができる。
【００５７】
作動杆２２が押し下げられると、ケーシング２１内に設けた電磁誘導装置２３(図７参照)が発電し、そのときに発電された電力を利用して、信号送信手段５から、着席信号が電波として送信される。
【００５８】
以上から明らかなように、本発明の椅子は、バッテリや外部電源を一切使用することなく、着座時の着座者の体重を利用して発電し、その電力によって着席信号を送信することができ、省エネルギー化を図ることができるとともに、バッテリの充電や交換作業が全く必要なく、しかも、小型化が可能で、椅子の美観を損なうことがない。
【００５９】
本発明は、上記実施形態のみに限定されるものではなく、特許請求の範囲を逸脱することなく、例えば、次のような変形した態様での実施が可能である。
(１)  座２の後部または前部を支持板１１に固着し、座２におけるその固定部から離れた部分を弾性撓曲可能とし、着座時の着座者の体重により、座２の可撓部が下方に弾性撓曲させられたとき、発電装置４の作動杆２２を押し下げるようにする。
(２)  座２の後部または前部を支持板に、左右方向の軸をもって枢着し、座２の前部または後部が上下方向に回動しうるようにし、付勢手段３の上向付勢力に抗して、座２の前部または後部が下向回動させられることにより、発電装置４の作動杆２２を押し下げるようにする。
(３)  収容ボックス１９に代えて、支持板１１自体の上面に凹部を設け、この凹部を、発電装置４および信号送信手段５の収容部とする。
(４)  支持板１１を、１本または４本以外の複数本の脚杆をもって支持する。
(５)  発電装置４を、座２の下面に、作動杆２２が下方を向くように下向きに取り付け、作動杆２２を、支持板１１、あるいは収容ボックス１９の上面によって押圧するようにする。
(６)  信号送信手段５を、発電装置４に電気的に接続した状態で、発電スイッチ２０から離して、座２、背板１２、もしくは支持脚１の適所に設ける。
【符号の説明】
【００６０】
１  支持脚
２  座
３  付勢手段
４  発電装置
５  信号送信手段
６  前部横杆
７  前脚杆
８  後部横杆
９  後脚杆
１０  側枠杆
１０ａ上片
１０ｂ下片
１１  支持板
１２  背板
１３  座板
１４  クッション材
１５  貫通孔
１６  段付きピン
１６ａ拡径頭部
１６ｂ軸部
１６ｃねじ部
１６ｄスリーブ
１７  緩衝材
１８  嵌合孔
１８ａ拡幅段部
１９  収容ボックス
１９ａ外向きフランジ
２０  発電スイッチ
２１  ケーシング
２１ａばね受け突部
２２  作動杆
２３  電磁誘導装置
２５  プッシャー
２５ａ取付片
２６  ばね挿通孔
２７  圧縮コイルばね
２８  ばね受片
２９、３０  ばね挿通孔
３１  圧縮コイルばね
３２、３３、３４  防音材
４０  ブラケット
４０ａ外向きフランジ
４０ｂ底片
４０ｃ側片
４１  受板
４１ａ外向きフランジ
４１ｂ底片
４１ｃ凹入段部
４１ｄ後片
４１ｅ前片
４２  収容部
４３  箱体
４３ａ側板
４４  ばね受台
４５  固定ねじ
４６  押圧レバー
４６ａ垂下片
４７  軸
４８  軸孔
４９  圧縮コイルばね(付勢手段)
５０  突子
５０ａ小ねじ
５０ｂ頭部
５１  ねじ孔
【図１】
0006352763.tif 000002
【図２】
0006352763.tif 000003
【図３】
0006352763.tif 000004
【図４】
0006352763.tif 000005
【図５】
0006352763.tif 000006
【図６】
0006352763.tif 000007
【図７】
0006352763.tif 000008
【図８】
0006352763.tif 000009
【図９】
0006352763.tif 000010
【図１０】
0006352763.tif 000011